(57)【要約】【課題】表紙を利用して組み上げられる立体形状を従来のものよりも大きくする。【解決手段】積層されたメモ用紙５０と、背表紙３０と、表表紙１０と、裏表紙４０と、を備え、表表紙１０には、背表紙３０に略平行な複数の折線１１〜１４と、切込み１８とが設けられ、裏表紙４０には、背表紙３０に略平行な折線４２と、上記切込み１８に結合可能な舌片４１とが設けられている。表表紙１０の複数の折線が折り曲げられてメモ用紙５０より奥位置に階段状の段差部１５が形成されるとともに、裏表紙４０がメモ用紙５０紙葉より奥位置に配置されてその裏表紙４０の折線４２より先端側が立ち上げられた状態で、表表紙１０と、裏表紙４０の折線４２より先端側と、が切込み１８および舌片４１によって結合されるように、表表紙の折線１１〜１４、裏表紙の折線４２、切込み１８および舌片４１が設けられている。【選択図】図１
2011056805.tif 000002
【特許請求の範囲】
【請求項１】
積層された紙葉と、前記紙葉の背部に取り付けられた背表紙と、前記背表紙の上部に連接された表表紙と、前記背表紙の下部に連接された裏表紙と、を備え、前記紙葉と前記各表紙とが略同じ幅に形成された卓上積層紙において、
前記表表紙には、前記背表紙に略平行な複数の折線と、表表紙側結合部とが設けられており、
前記裏表紙には、前記背表紙に略平行な折線と、前記表表紙側結合部に結合可能な裏表紙側結合部とが設けられており、
前記表表紙の複数の折線が折り曲げられて前記紙葉より奥位置に階段状の段差部が形成されるとともに、前記裏表紙が前記紙葉より奥位置に配置されてその裏表紙の折線より先端側が立ち上げられた状態で、前記表表紙と、前記裏表紙の折線より先端側と、が前記表表紙側結合部および前記裏表紙側結合部によって結合されるように、前記表表紙の折線、前記裏表紙の折線、前記表表紙側結合部および前記裏表紙側結合部が設けられていることを特徴とする卓上積層紙。
【請求項２】
請求項１に記載の卓上積層紙において、
前記表表紙には、前記段差部が形成されるとともに、前記裏表紙が前記紙葉より奥位置に配置されてその裏表紙の折線より先端側が立ち上げられた状態で、前記表表紙と、前記裏表紙の折線より先端側と、が前記表表紙側結合部および前記裏表紙側結合部によって結合された状態で、前記裏表紙の折線より先端側の面と前記段差部の垂直面とに対して略直角に配置される補強部材が形成されるように、前記表表紙に切込みおよび折線の何れか又は両方が更に設けられていることを特徴とする卓上積層紙。
【請求項３】
積層された紙葉と、前記紙葉の背部に取り付けられた背表紙と、前記背表紙の上部に連接された表表紙と、前記背表紙の下部に連接された裏表紙と、を備え、前記紙葉と前記各表紙とが略同じ幅に形成された卓上積層紙において、
前記表表紙には、表表紙側結合部が設けられ、
前記裏表紙には、前記表表紙側結合部に結合可能な裏表紙側結合部が設けられ、
前記表表紙および前記裏表紙が前記紙葉より奥位置に配置され、両表紙が筒体を成すように、それら両表紙の先端部同士が重ね合わされた状態で、当該先端部同士が前記表表紙側結合部および前記裏表紙側結合部によって結合されるように、これら表表紙側結合部および裏表紙側結合部が設けられていることを特徴とする卓上積層紙。
【発明の詳細な説明】
【技術分野】
【０００１】
本発明は、積層された紙葉とその表紙とを備える卓上積層紙（例えば卓上メモ帳等）に関する。特に表紙を利用して立体形状を組み上げるために、表紙に切込み、折線等が設けられた卓上積層紙に関する。
【背景技術】
【０００２】
従来より、特許文献１〜４に開示されているような卓上メモ帳（卓上積層紙）が知られている。これらの卓上メモ帳は、積層されたメモ用紙と、そのメモ用紙の背部に貼付けられた背表紙と、背表紙の上部に連接された表表紙と、背表紙の下部に連接された裏表紙とで主に構成されている。
【０００３】
特許文献１〜４に開示されている卓上メモ帳では、表表紙の適宜の箇所に折線、切込み等が設けられている。そして、表表紙を折線に沿って指で折り曲げ、切込み等を利用して所定の部位を結合することで、表表紙に立体形状を作ることができるようになっている。
【０００４】
この種の卓上メモ帳がノベルティ商品として配布される場合は、上記立体形状部分には、社名、商品広告、絵柄などが表示される。
【先行技術文献】
【特許文献】
【０００５】
【特許文献１】特開２００５−１０４１２２号公報
【特許文献２】特許第４２１９９７２号公報
【特許文献３】特開２００６−８２４６６号公報
【特許文献４】特許第２５９２３８０号公報
【発明の概要】
【発明が解決しようとする課題】
【０００６】
ところが、特許文献１〜４に開示されている卓上メモ帳では、表表紙だけで立体形状を構成していたため、立体形状の高さ、奥行きなどの大きさが小さく限られたものとなっていた。立体形状の大きさが限られると、立体形状に対するデザインの自由度が狭く制限される。また、そのような卓上メモ帳をノベルティ商品に採用した場合、立体形状部分には、社名、商品広告、絵柄等を小さく、少数だけしか表示することができないこともある。
【０００７】
本発明は、かかる問題点に鑑みて創案されたものであり、表紙を利用して組み上げられる立体形状の高さや奥行きなどの大きさを従来のものよりも大きくすることが可能な卓上積層紙を提供することを目的とする。
【課題を解決するための手段】
【０００８】
上述の課題を解決するための手段として、本発明の卓上積層紙は、以下のように構成されている。
【０００９】
本発明の卓上積層紙は、積層された紙葉と、前記紙葉の背部に取付けられた背表紙と、前記背表紙の上部に連接された表表紙と、前記背表紙の下部に連接された裏表紙と、を備え、前記紙葉と前記各表紙とが略同じ幅に形成されたものを前提とし、前記表表紙には、前記背表紙に略平行な複数の折線と、表表紙側結合部とが設けられており、前記裏表紙には、前記背表紙に略平行な折線と、前記表表紙側結合部に結合可能な裏表紙側結合部とが設けられており、前記表表紙の複数の折線が折り曲げられて前記紙葉より奥位置に階段状の段差部が形成されるとともに、前記裏表紙が前記紙葉より奥位置に配置されてその裏表紙の折線より先端側が立ち上げられた状態で、前記表表紙と、前記裏表紙の折線より先端側と、が前記表表紙側結合部および前記裏表紙側結合部によって結合されるように、前記表表紙の折線、前記裏表紙の折線、前記表表紙側結合部および前記裏表紙側結合部が設けられていることを特徴とするものである。なお、「階段状の段差部」には１段だけの段差部も含まれる。また、「折線」は、組立時に折り曲げるべき位置を示す線状の目印となるものであり、表紙上に印刷された線のほか、線状に形成された折罫（折り目）などの意味も含む。また、「表表紙」「背表紙」および「裏表紙」の材質は紙材に限定されない。
【００１０】
かかる構成を備える卓上積層紙によれば、裏表紙の折線より上方に立ち上がった部分によって表表紙が支えられるため、表表紙に高さや奥行きの大きな階段状の段差部（立体形状）を形成することができる。
【００１１】
また、本発明の卓上積層紙は、上記構成を備える卓上積層紙において、前記表表紙には、前記段差部が形成されるとともに、前記裏表紙が前記紙葉より奥位置に配置されてその裏表紙の折線より先端側が立ち上げられた状態で、前記表表紙と、前記裏表紙の折線より先端側と、が前記表表紙側結合部および前記裏表紙側結合部によって結合された状態で、前記裏表紙の折線より先端側の面と前記段差部の垂直面とに対して略直角に配置される補強部材が形成されるように、前記表表紙に切込みおよび折線の何れか又は両方が更に設けられているものであってもよい。
【００１２】
かかる構成を備える卓上積層紙によれば、上記補強部材が配置されているので、段差部の構造が安定する。
【００１３】
また、本発明の卓上積層紙は、積層された紙葉と、前記紙葉の背部に取り付けられた背表紙と、前記背表紙の上部に連接された表表紙と、前記背表紙の下部に連接された裏表紙と、を備え、前記紙葉と前記各表紙とが略同じ幅に形成されたものを前提とし、前記表表紙には、表表紙側結合部が設けられ、前記裏表紙には、前記表表紙側結合部に結合可能な裏表紙側結合部が設けられ、前記表表紙および前記裏表紙が前記紙葉より奥位置に配置され、両表紙が筒体を成すように、それら両表紙の先端部同士が重ね合わされた状態で、当該先端部同士が前記表表紙側結合部および前記裏表紙側結合部によって結合されるように、これら表表紙側結合部および裏表紙側結合部が設けられていることを特徴とするものであってもよい。
【００１４】
かかる構成を備える卓上積層紙によれば、裏表紙によって表表紙が支えられるため、表表紙に高さや奥行きの大きな略筒状の構造体（立体形状）を形成することができる。
【発明の効果】
【００１５】
本発明に係る卓上積層紙によれば、表表紙および裏表紙の双方によって立体形状が構成されるため、立体形状を従来のものよりも格段に大きくすることが可能となる。これにより、例えば、大きくなった立体形状に表示する社名、商品広告、絵柄等を大きくしたり多く増やしたりすることも可能となる。
【図面の簡単な説明】
【００１６】
【図１】第１の実施の形態に係るメモ帳の組立完成状態を示す斜視図である。
【図２】第１の実施の形態に係るメモ帳の表紙の展開図である。
【図３】第１の実施の形態に係るメモ帳の組立途中の状態を示す斜視図である。
【図４】第１の実施の形態に係る平らに畳まれたメモ帳を示す斜視図である。
【図５】第２の実施の形態に係るメモ帳の組立完成状態を示す斜視図である。
【図６】第２の実施の形態に係るメモ帳の表紙の展開図である。
【図７】第２の実施の形態に係るメモ帳の組立途中の状態を示す斜視図である。
【図８】第３の実施の形態に係るメモ帳の組立完成状態を示す斜視図である。
【図９】第３の実施の形態に係るメモ帳の表紙の展開図である。
【図１０】第３の実施の形態に係るメモ帳の組立途中の状態を示す斜視図である。
【図１１】第４の実施の形態に係るメモ帳の組立完成状態を示す斜視図である。
【図１２】第４の実施の形態に係るメモ帳の表紙の展開図である。
【図１３】第４の実施の形態に係るメモ帳の組立途中の状態を示す斜視図である。
【発明を実施するための形態】
【００１７】
以下、本発明の実施の形態について説明する。以下の実施形態では、卓上メモ帳（以下単に「メモ帳」という。）を本発明の卓上積層紙の例として説明する。
【００１８】
［第１の実施形態］
以下、本発明の第１の実施の形態に係るメモ帳について説明する。図１は、第１の実施の形態に係るメモ帳１００の組立完成状態を示す斜視図である。図２は、メモ帳１００の表表紙１０、背表紙３０および裏表紙４０からなる表紙の展開図である。図３は、メモ帳１００の組立途中の状態を示す斜視図である。図４は、メモ帳１００が平らに畳まれた状態を示す斜視図である。
【００１９】
符号５０は、多数枚積層されたメモ用紙（紙葉）であり、その背部には背表紙３０が接着剤にて取付け（貼付け）られている。なお、メモ用紙は５０は、１枚ずつ捲り取ることができるようになっている。上記背表紙３０の上部には折線３１を介して表表紙１０が連なって接続（以下「連接」という。）されており、背表紙３０の下部には、折線３２を介して裏表紙４０が連接されている。なお、本明細書において、「上部」、「下部」の用語は、図１に示すように、卓上に置かれた組立完成状態のメモ帳１００や、図４に示すように、表表紙１０を上にして卓上で平らに畳まれた状態のメモ帳１００を基準として用いている。また、以下では、背表紙が貼り付けられているメモ用紙の背部側を奥側とし、メモ用紙が捲れる側（背部と反対側）を手前側として説明する。
【００２０】
＜表表紙＞
表表紙１０には、図２に示すように、背表紙３０に略平行（各メモ用紙の背部の長手方向に略平行）な第１折線１１、第２折線１２、第３折線１３および第４折線１４が適宜の間隔をあけて設けられている。これらの折線１１〜１４は、背表紙３０側から順に交互に山折りと谷折りが施されることにより、図１に示すような、階段状の段差部１５（雛壇）を形成する。
【００２１】
また、表表紙１０に設けられた第１折線１１〜第４折線１４は、表表紙１０の横幅一杯に連続して設けられたものではなく、途中で途切れた断続的なもの（第１折線１１〜第３折線）や表表紙の両側端に達していないもの（第２折線１２，第４折線１４）となっている。上記折線１１〜１３の途切れた部分には、組立時に、各段差部１５，１５の水平面１５Ｌ、１５Ｌより上方へ立ち上がる立ち上がり装飾部１６を形成するための切込み１７が設けられている。各立ち上がり装飾部１６や各立ち上がり装飾部１６から各段差部１５の垂直面１５Ｖ，１５Ｖに亘って、例えば動物、キャラクタなどの絵柄が印刷され、あるいは、絵柄のシールが貼り付けられる。
【００２２】
また、表表紙１０には、組立時に最上段となる段差部１５を形成する３本の折線１２〜１４のうち、谷線を形成する第２折線１２の両端部から同じく谷線を形成する第４折線１４の両端部に亘ってそれぞれ切込み１９，１９が設けられている。組立時に、この切込み１９，１９を、最上段の段差部１５と反対の方向に第３折線１３に沿って直角に折り曲げることで裏表紙４０の先端側の面と段差部１５の垂直面１５Ｖとに対して直角に配置される補強部材２０が形成される。これにより、表表紙１０および裏表紙４０により形成される立体形状が構造的に安定したものとなる。補強部材２０は、上段側の段差部１５の両側部に形成されるように切込み１９，１９が設けられているが、切込み１９，１９が設けられる位置は段差部１５の両側部に限定されない。例えば上段側の段差部１５の途中位置に補強部材が形成されるように、第２折線１２の中間位置と第４折線１４の中間位置とに亘って偶数本の切込みを設けてもよい。
【００２３】
なお、図２に示す切込み１９，１９は、背表紙３０に対して垂直な方向に延びた直線状のものであるが、第２折線１２の両端部から第４折線１４の両端部に亘って湾曲したものや、背表紙３０に対して斜めになったものであってもよい。
【００２４】
表表紙１０には、更に、段差部１５，１５よりも高位置となる場所に、後述する裏表紙側結合部４１と結合可能となる表表紙側結合部１８が設けられている。この表表紙側結合部１８としては、背表紙３０に略平行な所定長さの直線状の切込みが設けられている。なお、この切込みは、Ｖ字状に設けられていてもよい。
【００２５】
表表紙１０には、その他、組立時に窓部２２を形成するための窓用切込み２１（例えば図２に示すようなコ字状の切込み）が設けられている。
【００２６】
＜裏表紙＞
裏表紙４０には、図２に示すように、背表紙３０に略平行に折線４２が設けられている。この折線４２と背表紙３０（折線３２）との間は、前記２つの段差部の水平面１５Ｌ，１５Ｌの奥行寸法の和と同程度とされている。
【００２７】
また、裏表紙４０の先端部には、背表紙３０に対して垂直な方向（以下「縦方向」ともいう。）に延びた直線状の２本の切込み４１ａ，４１ａが設けられている。これら切込み４１ａ，４１ａ間に裏表紙側結合部としての舌片４１が形成されている。なお、切込み４１ａ，４１ａの先端側には約９０°で拡開した切欠が形成されている。
【００２８】
この舌片４１は、裏表紙４０を折線４２に沿って折り曲げ、裏表紙４０の折線４２より先端側を直角上方に立ち上げるとともに、裏表紙４０の折線４２より基端側を卓上に載置した状態で、各種の折線に沿って折り曲げられた表表紙１０（表表紙１０の折り曲げ手順については後に詳述する。）の切込み１８に差し込むことができるように設けられている。舌片４１が表表紙１０の切込み１８に差し込まれると、表表紙１０と裏表紙４０の折線４２より先端側とが結合される。
【００２９】
なお、組立完成後に、舌片４１が表表紙１０の切込み１８から簡単に脱抜しないように、舌片４１の幅寸法と表表紙１０の切込み１８の長さ寸法とが略同じとされていることが望ましい。切込みとこれに差し込まれる舌片との寸法関係は以下同様である。
【００３０】
また、裏表紙４０の折線４２より先端側には、組立時に表表紙１０に設けられた切込み１９，１９に係合可能な補強用舌片４４，４４（図１参照）となる補強用切込み４３，４３（図２参照）が設けられている。但し、補強用舌片４４，４４が係合される表表紙１０の切込みは、表表紙１０のどの部分に設けられた切込みであってもよい。
【００３１】
なお、上記では、補強用舌片を裏表紙４０の折線４２より先端側に形成し、その補強用舌片が係合する切込みを表表紙１０側に形成しているが、これとは反対に、補強用舌片を表表紙１０に形成し、その補強用舌片が係合する切込みを裏表紙４０の折線４２より先端側に形成してもよい。
【００３２】
以上に説明した表表紙１０、背表紙３０および裏表紙４０の材質は、紙材に限定されず、紙材以外の材質（例えば硬質塩ビ等）でできたものであってもよい。また、必ずしも、表表紙１０、背表紙３０および裏表紙４０の材質が統一されている必要はなく、互いに異なっていてもよい。例えば、表表紙１０および裏表紙４０が紙材（又は硬質塩ビ等）からなり、背表紙３０だけが被覆布材（クロス）からなるものであってもよい。これらは、後述する他の実施形態における各表紙についても同様である。
【００３３】
図４に示すように、平らに畳まれた組立前の状態のメモ帳１００は、表表紙１０が背表紙３０との間の折線３１に沿って折り曲げられ、積層されたメモ用紙５０の上面に重なっている。また、裏表紙４０は、背表紙３０との間の折線３２（図２参照）に沿って折り曲げられ、積層されたメモ用紙５０の下面に、同サイズの厚紙６０を介して重なっている。このように折り畳まれたメモ帳１００は、従来のメモ帳と同様の寸法、サイズとなっており、折線、切込みに従って組み立てられる立体形状のみが相違している。したがって、本発明のメモ帳を製造するに当たっては、従来のメモ帳の製造設備、製造方法を利用することが可能であり、製造設備や製造方法の大幅な変更は要しない。このことは、後述する他の実施の形態に係るメモ帳にも同様に当てはまる。
【００３４】
メモ帳１００を図４に示す状態から図１に示す状態へ組み立てるには、まず、図３に示すように、裏表紙４０を折線３２に沿ってメモ用紙５０より奥位置へ折り返して配置し、裏表紙４０を先端側が略直角上方へ向くように折線４２に沿って折り曲げる。
【００３５】
つぎに、表表紙１０を立ち上げて、背表紙３０より奇数番目にある第１折線１１および第３折線１３を手前側から見て直角山折りとし、偶数番目にある第２折線１２および第４折線１４を手前側から見て直角谷折りとする。但し、既述の補強部材２０，２０を形成するために、第３折線１３の両側部は、直角谷折りとする。
【００３６】
つぎに、表表紙１０の切込み１８に裏表紙４０の舌片４１を下から差し込んで、表表紙１０の先端側と裏表紙４０の先端側とを上記切込み１８および舌片４１にて結合（係合）する。最後に、窓用切込み２１に囲まれた部分を手前側に折り曲げて図１に示すような窓部２２を形成する。
【００３７】
なお、各窓部２２から文字、図形、記号、絵柄などを覗き見ることができるように、裏表紙４０の所定場所に、文字、図形などを印刷しておいてもよい。
【００３８】
以上の手順により、図１に示したメモ帳１００が完成するが、組立手順は既述したものに限らず、その他の手順を採用することも可能である。
【００３９】
図１に示す、組立完成状態のメモ帳１００によれば、裏表紙４０の折線４２より先端側の立ち上がった部分によって表表紙１０が支えられる。このため、表表紙１０を従来よりも上方や奥方へ展開させた構造を採ることができ、表表紙１０に高さや奥行きの大きな階段状の段差部１５，１５や上方に大きく立ち上がった背板２４を形成することが可能となる。したがって、段差部１５には多数の立ち上がり装飾部１６や大きな立ち上がり装飾部１６を設けることができ、また背板２４に多数又は大きな絵柄等をプリントすることもできる。
【００４０】
また、メモ帳１００では、裏表紙４０の折線４２より先端側の面と段差部１５の垂直面１５Ｖとの双方に対して直角に補強部材２０が配置され、裏表紙４０に設けられた補強用舌片４４が表表紙の切込み１９に係合していることから、階段状の段差部１５が構造的に安定し、段差部１５の形崩れが抑制される。
【００４１】
また、メモ帳１００の背板２４においては、表表紙１０の切込み１８より上方に舌片４１が延出しているため、多数枚のメモ用紙５０から剥がし取った１枚のメモ用紙を表表紙１０と舌片４１との間に挟持させることができる。また、メモ用紙の代わりカレンダー７０を挟持させることもできる。なお、厚紙６０に各月のカレンダー７０を印刷し、各月のカレンダー７０の周囲にミシン目を設けておくことで、所望のカレンダー７０を厚紙６０から抜き出して、表表紙１０と舌片４１との間に挟持させることもできる。
【００４２】
その他、段差部１５をペン置きとして利用することも可能である。この場合、立ち上がり装飾部１６は、段差部１５からペンが転がり落ちることを防止するストッパとして機能する。また、立ち上がり装飾部１６の背後に形成された穴をペンたてとして利用することも可能である。
【００４３】
［第２の実施の形態］
以下、本発明の第２の実施の形態に係るメモ帳について説明する。なお、第１の実施の形態に係るメモ帳１００と同様の構成については、同符号を付してその説明を省略する。
【００４４】
図５は、第２の実施の形態に係るメモ帳１００Ａの組立完成状態を示す斜視図である。図６は、メモ帳１００Ａの表表紙１０Ａ、背表紙３０および裏表紙４０Ａからなる表紙の展開図である。図７は、メモ帳１００Ａの組立途中の状態を示す斜視図である。
【００４５】
多数枚積層されたメモ用紙５０の背部には背表紙３０が接着剤にて取付けられている。この背表紙３０の上部には折線３１を介して表表紙１０Ａが連接されており、背表紙３０の下部には、折線３２を介して裏表紙４０Ａが連接されている。
【００４６】
＜表表紙＞
表表紙１０Ａには、図６に示すように、先端側に湾曲した曲線状の切込み１７Ａが複数設けられている。各切込みの両端部間には、背表紙３０に略平行な折線１１Ａが設けられている。各切込み１７Ａと折線１１Ａとで囲まれた部分には、例えば動物、キャラクタなどの絵柄が印刷されたり、絵柄を印刷したシールなどが貼り付けられる。
【００４７】
また、表表紙１０Ａの先端部には、後述する裏表紙側結合部４１Ａと結合可能な表表紙側結合部としての舌片１８Ａが設けられている。この舌片１８Ａは、背表紙３０に対して垂直な方向に延びた直線状の２本の切込み１８ａ，１８ａ間に形成されている。なお、切込み１８ａ，１８ａの先端側には約９０°で拡開した切欠が形成されている。
【００４８】
＜裏表紙＞
裏表紙４０Ａには、図６に示すように、背表紙３０に略平行な折線４２Ａが背表紙３０と適宜の間隔をあけて設けられている。
【００４９】
また、裏表紙４０Ａには、表表紙側結合部である舌片１８Ａと結合可能となる裏表紙側結合部が設けられている。この裏表紙側結合部としては、先端側に向かって山形状を成すＶ字状の切込み４１Ａが設けられている。なお、この切込み４１Ａは、背表紙３０に略平行な所定長さの直線状の切込みであってもよい。
【００５０】
以下、メモ帳１００Ａの組立手順について説明する。まず、組立前の平らに畳まれた状態のメモ帳１００Ａにおいて、裏表紙４０Ａを折線３２に沿ってメモ用紙５０より奥位置へ折り返して配置し、裏表紙４０Ａの先端側が略直角上方へ向くように折線４２Ａに沿って裏表紙４０Ａを折り曲げる（図７参照）。
【００５１】
つぎに、表表紙１０Ａを折線３１に沿って反メモ用紙５０側に折り返し、図５に示すように、表表紙１０Ａと裏表紙４０Ａとで筒体を成すように（図５では両表紙１０Ａ，４０Ａで断面半月状の筒体を成している。）、両表紙１０Ａ，４０Ａの先端部同士を重ね合わせた状態で、表表紙１０Ａの先端部と裏表紙４０Ａの先端部とを結合（係合）する。結合は、裏表紙４０Ａの切込み４１Ａに表表紙１０Ａの舌片１８Ａを差し込むことにより行われる。
【００５２】
最後に、多数の折線１１Ａを折り曲げて絵柄が印刷された部分を表表紙１０Ａによって形成された半円筒型の湾曲面Ｓから立ち上げて、立ち上がり装飾部１６Ａを設ける。以上の手順により、図５に示すような、メモ帳１００Ａが完成する。なお、組立手順は既述したものに限らず、その他の手順を採用することも可能である。
【００５３】
図５に示す、組立完成状態のメモ帳１００Ａによれば、裏表紙４０Ａの折線４２Ａより先端側の立ち上がった部分によって表表紙１０Ａが支えられる。このため、表表紙１０Ａを従来よりも奥方へ展開させた構造を採ることができ、高さや奥行きの大きな湾曲面Ｓ（構造体）を形成することが可能となる。その結果、大きな湾曲面Ｓに多数の立ち上がり装飾部１６Ａを設けることもできる。また、立ち上がり装飾部１６Ａのほか、湾曲面Ｓ上には、多数の絵柄や装飾等を設けることもできる。なお、立ち上がり装飾部１６Ａ同士の間をペン置きとして利用することも可能である。
【００５４】
［第３の実施の形態］
以下、本発明の第３の実施の形態に係るメモ帳について説明する。なお、第１の実施の形態に係るメモ帳１００と同様の構成については、同符号を付してその説明を省略する。
【００５５】
図８は、第３の実施の形態に係るメモ帳１００Ｂの組立完成状態を示す斜視図である。図９は、メモ帳１００Ｂの表表紙１０Ｂ、背表紙３０および裏表紙４０Ｂからなる表紙の展開図である。図１０は、メモ帳１００Ｂの組立途中の状態を示す斜視図である。
【００５６】
多数枚積層されたメモ用紙５０の背部には背表紙３０が接着剤にて取付けられている。この背表紙３０の上部には折線３１を介して表表紙１０Ｂが連接されており、背表紙３０の下部には、折線３２を介して裏表紙４０Ｂが連接されている。
【００５７】
＜表表紙＞
表表紙１０Ｂには、図９に示すように、背表紙３０に略平行な折線１１Ｂ，１２Ｂが適宜の間隔をあけて設けられている。折線１１Ｂに山折りが施され，折線１２Ｂに谷折りが施されて、図８に示すような、階段状の段差部１５Ｂ（図８に示す段差部は１段だけである。）を形成する。
【００５８】
２本の折線１１Ｂ，１２Ｂの間には、背表紙３０側に湾曲した曲線状の切込み１７Ｂが設けられており、切込み１７Ｂの両端部間には、背表紙３０に略水平な折線１３Ｂが設けられている。
【００５９】
また、表表紙１０Ｂには、後述する裏表紙側結合部としての舌片４１Ｂ，４１Ｂと結合可能な、表表紙側結合部としての２本の切込み１８Ｂ，１８Ｂが設けられている。この２本の切り込み１８Ｂ，１８Ｂは、背表紙３０に略垂直な方向に延びており、互いに所定の間隔をおいて設けられている。表表紙１０Ｂには、更に、上記２本の切込み１８Ｂ，１８Ｂの両側で、表表紙１０Ｂの折線１２Ｂより先端側において、切込み１８Ｂ，１８Ｂ側に湾曲した形状の切込み２１Ｂが左右２箇所ずつに設けられている。
【００６０】
＜裏表紙＞
裏表紙４０Ｂには、図９に示すように、背表紙３０に略平行に折線４２Ｂが設けられている。この折線４２Ｂと背表紙３０（折線３２）との間は、段差部１５Ｂの水平面１５ＢＬの奥行寸法と同程度とされている。
【００６１】
また、裏表紙４０Ｂには、背表紙３０に対して平行な方向に延びた直線状の２本の切込み４１Ｂａ，４１Ｂａが間隔をおいて設けられている。これら切込み４１Ｂａ，４１Ｂａは、その内側端部から裏表紙４０Ｂの先端部まで延びた直線状の折線４１Ｂｂ，４１Ｂｂに沿って折り曲げられることで、左右に延出する舌片４１Ｂ，４１Ｂ（裏表紙側結合部）を形成する。
【００６２】
この舌片４１Ｂ，４１Ｂは、裏表紙４０Ｂをその折線４２Ｂに沿って折り曲げ、裏表紙４０Ｂの折線４２Ｂより先端側を直角上方に立ち上げるとともに、裏表紙４０Ｂの折線４２Ｂより基端側を卓上に載置した状態で、折線に沿って折り曲げられた表表紙１０Ｂ（表表紙１０Ｂの折り曲げ手順については後に詳述する。）に設けられた切込み１８Ｂ，１８Ｂに差し込むことができるように設けられている。
【００６３】
以下、メモ帳１００Ｂの組立手順について説明する。まず、組立前の平らに畳まれた状態のメモ帳１００Ｂにおいて、裏表紙４０Ｂを折線３２に沿ってメモ用紙５０より奥位置へ折り返して配置し、裏表紙４０Ｂの先端側が略直角上方へ向くように折線４２Ｂに沿って裏表紙４０Ｂを折り曲げる（図１０参照）。
【００６４】
つぎに、表表紙１０Ｂを立ち上げて、折線１１Ｂに対して手前側から見て直角山折りを施し、折線１２Ｂに対して手前側から見て直角谷折りを施して、折線１２Ｂより先端側を上方へ立ち上げる。
【００６５】
つぎに、表表紙１０Ｂの切込み１８Ｂ，１８Ｂに裏表紙４０Ｂの舌片４１Ｂ，４１Ｂを奥側から手前側に向かって差し込み、表表紙１０Ｂと裏表紙４０Ｂの折線４２Ｂから先端側とを結合（係合）する。最後に、舌片４１Ｂ，４１Ｂの先端を表表紙１０Ｂに設けられた湾曲状の切込み２１Ｂ内に挿入する。このとき、各舌片４１Ｂの先端は、上下の切込み２１Ｂ，２１Ｂ間に係止され、手前側に湾曲した状態を維持して、表表紙１０Ｂの折線１２Ｂより先端側の面との間にポケットＰ，Ｐを形成する。このポケットＰは附箋などの物入れとして利用することができる。
【００６６】
最後に、折線１３Ｂを下方に折り曲げて、切込み１７Ｂ内にペンたて用穴２３を形成する。
【００６７】
以上の手順により、図８に示したような、メモ帳１００Ｂが完成する。なお、組立手順は既述したものに限らず、その他の手順を採用することも可能である。
【００６８】
図８に示す、組立完成状態のメモ帳１００Ｂによれば、裏表紙４０Ｂの折線４２Ｂより先端側の立ち上がった部分によって表表紙１０Ｂが支えられる。このため、表表紙１０Ｂを従来よりも上方や奥方へ展開させた構造を採ることができる。具体的には、表表紙１０Ｂに高さや奥行きの大きな段差部１５ＢやポケットＰを形成することが可能となる。また、段差部１５の水平面１５ＢＬには、ペンたて用穴２３が設けられており、ここにペン８０を立てることができるようにもなっている。
【００６９】
［第４の実施の形態］
以下、本発明の第４の実施の形態に係るメモ帳について説明する。なお、第１の実施の形態に係るメモ帳１００と同様の構成については、同符号を付してその説明を省略する。
【００７０】
図１１は、第４の実施の形態に係るメモ帳１００Ｃの組立完成状態を示す斜視図である。図１２は、メモ帳１００Ｃの表表紙１０Ｃ、背表紙３０および裏表紙４０Ｃからなる表紙の展開図である。図１３は、メモ帳１００Ｃの組立途中の状態を示す斜視図である。
【００７１】
多数枚積層されたメモ用紙５０の背部には背表紙３０が接着剤にて取付けられている。この背表紙３０の上部には折線３１を介して表表紙１０Ｃが連接されており、背表紙３０の下部には、折線３２を介して裏表紙４０Ｃが連接されている。
【００７２】
＜表表紙＞
表表紙１０Ｃには、図１２に示すように、背表紙３０に略平行な２本の折線１１Ｃ，１２Ｃが互いに適宜の間隔をあけて設けられている。折線１１Ｃに山折りが施され折線１２Ｃに谷折りが施されて、図１１に示すような、階段状の段差部１５Ｃ（図１１に示す段差部は１段だけである。）を形成する。折線１１Ｃは、表表紙１０Ｃの幅一杯に連続して設けられているが、折線１２Ｃは、途中で途切れた断続的なものとなっている。この途切れた部分には、組立時に、段差部１５Ｃの水平面１５ＣＬより上方へ立ち上がる立ち上がり装飾部１６を形成するための切込み１７が設けられている。各立ち上がり装飾部１６や各立ち上がり装飾部１６から段差部１５Ｃの垂直面１５ＣＶ，１５ＣＶに亘って、例えば動物、キャラクタなどの絵柄が印刷されたり、絵柄のシールが貼り付けられる。
【００７３】
また、表表紙１０には、組立時に段差部１５Ｃよりも高位置となる場所に、後述する裏表紙側結合部と結合可能となる表表紙側結合部が設けられている。この表表紙側結合部としては、背表紙３０に略平行な所定長さの直線状の切込み１８Ｃが設けられている。なお、この切込み１８Ｃは、Ｖ字状に設けられていてもよい。
【００７４】
また、表表紙１０Ｃには、組立時にペンホルダ２５を形成するための主ペンホルダ用切込み２６、従ペンホルダ用切込み２７およびペンたて穴用切込み２８が設けられている。主ペンホルダ用切込み２６は、図１２に示すように、横長コ字状の切込みであり、従ペンホルダ用切込み２７は、主ペンホルダ用切込み２６の片側にペン径より少し大きい間隔をおいて背表紙３０に垂直な方向に形成されている。ペンたて穴用切込み２８は、図示するようにコ字状の切込みであり、組立時に、段差部１５Ｃの水平面１５ＣＬとなる場所に設けられ、且つ、上記主および従ペンホルダ用切込み２６，２７によって形成されるペンホルダ２５の真下に位置するように設けられている。
【００７５】
＜裏表紙＞
裏表紙４０Ｃには、図１２に示すように、背表紙３０に略平行に折線４２Ｃが設けられている。この折線４２Ｃと背表紙３０（折線３２）との間は、既述の段差部１５Ｃの水平面１５ＣＬの奥行寸法と同程度とされている。
【００７６】
また、裏表紙４０Ｃの先端部には、背表紙３０に対して垂直な方向に延びた直線状の切込み４１Ｃａ，４１Ｃａが設けられている。これら切込み４１Ｃａ，４１Ｃａ間に裏表紙側結合部としての舌片４１Ｃが形成されている。なお、切込み４１Ｃａ，４１Ｃａの先端側には約９０°で拡開した切欠が形成されている。
【００７７】
この舌片４１Ｃは、裏表紙４０Ｃを折線４２Ｃに沿って折り曲げ、裏表紙４０Ｃの折線４２Ｃより先端側を直角上方に立ち上げるとともに、裏表紙４０Ｃの折線４２Ｃより基端側を卓上に載置した状態で、折線に沿って折り曲げられた表表紙１０Ｃ（表表紙１０Ｃの折り曲げ手順については後に詳述する。）の切込み１８Ｃに差し込むことができるように設けられている。舌片４１Ｃが表表紙１０Ｃの切込み１８Ｃに差し込まれると、表表紙１０Ｃと裏表紙４０Ｃの折線４２Ｃより先端側とが結合される。
【００７８】
また、裏表紙４０Ｃには、背表紙３０に対して垂直な方向に延びた直線状の裏ペンホルダ用切込み４６が設けられている。この裏ペンホルダ用切込み４６は、組立時に、前記従ペンホルダ用切込み２７と重なり合うように設けられている。
【００７９】
以下、メモ帳１００Ｃの組立手順について説明する。まず、組立前の平らに畳まれた状態のメモ帳１００Ｃにおいて、裏表紙４０Ｃを折線３２に沿ってメモ用紙５０より奥位置へ折り返して配置し、裏表紙４０Ｃの先端側が上方へ向くように折線４２Ｃに沿って裏表紙４０Ｃを折り曲げる（図１３参照）。
【００８０】
つぎに、表表紙１０Ｃを立ち上げて、折線１１Ｃに対して手前側から見て直角山折りを施し、折線１２Ｃに対して手前側から見て直角谷折りを施して、折線１２Ｃより先端側を上方へ立ち上げる。
【００８１】
つぎに、主ペンホルダ用切込み２６に沿ってその切込み２６内の部分を長手方向に沿って従ペンホルダ用切込み２７側へ巻き出し、その先端部２６ａを従ペンホルダ用切込み２７および裏ペンホルダ用切込み４６に挿通する。さらに、ペンたて穴用切込み２８に囲まれた部材を下方に押し下げてペンたて穴２９を形成する。
【００８２】
そして、最後に、表表紙１０Ｃの切込み１８Ｃに裏表紙４０Ｃの舌片４１Ｃを下から差し込み表表紙１０Ｃの先端部と裏表紙４０Ｃの先端部とを結合（係合）する。
【００８３】
以上の手順により、図１１に示す、メモ帳１００Ｃが完成する。なお、組立手順は既述したものに限らず、その他の手順を採用することも可能である。
【００８４】
図１１に示す、組立完成状態のメモ帳１００Ｃによれば、裏表紙４０Ｃの折線４２Ｃより先端側の立ち上がった部分によって表表紙１０Ｃが支えられる。このため、表表紙１０Ｃを従来よりも上方や奥方へ展開させた構造を採ることができる。具体的には、表表紙１０Ｃに高さや奥行きの大きな段差部１５Ｃや上方に大きく立ち上がった背板２４Ｃを形成することができる。
【００８５】
また、本実施の形態に係るメモ帳１００Ｃでも第１実施形態に係るメモ帳１００と同様に、表表紙１０Ｃの切込み１８Ｃより上方に舌片４１Ｃが延出しているため、多数枚のメモ用紙５０から剥がし取った１枚のメモ用紙を表表紙１０Ｃと舌片４１Ｃとの間に挟持させることができる。また、メモ用紙の代わりカレンダー７０（図１１において図示せず。）を挟持させることもできる。
【００８６】
また、ペンホルダ２５およびペンたて穴２９が設けられているので、図示するように、ペンたてとして利用することができる。
【００８７】
＜他の実施形態＞
既述の実施形態では、切込みに舌片を係合させて表表紙と裏表紙とを結合させているが、表表紙と裏表紙との結合は、表表紙および裏表紙に切込み、折り曲げ等を施すことで成し得るものであればよく、切込みおよび舌片の組み合わせに限定されない。
【００８８】
既述した実施形態に係る発明は、卓上メモ帳以外の卓上積層紙にももちろん適用可能である。例えば、メモ用紙５０の代わりに、積層されたパンフレット紙、イベントのラリー案内紙、塗り絵用紙、マップ紙、列車案内紙等を備える卓上積層紙にも本発明を適用することができる。
【産業上の利用可能性】
【００８９】
本発明は、例えば、表紙付き卓上メモ帳に適用可能である。
【符号の説明】
【００９０】
１０，１０Ａ，１０Ｂ，１０Ｃ  表表紙
１１〜１４  折線
１５，１５Ｂ，１５Ｃ  段差部
１５Ｖ  段差部の垂直面
１８，１８Ｂ，１８Ｃ  切込み（表表紙側結合部）
１８Ａ  舌片（表表紙側結合部）
２０  補強部材
３０  背表紙
４０，４０Ａ，４０Ｂ，４０Ｃ  裏表紙
４１，４１Ｂ，４１Ｃ  舌片（裏表紙側結合部）
４１Ａ  切込み（裏表紙側結合部）
４２，４２Ａ，４２Ｂ，４２Ｃ  折線
５０  メモ用紙（紙葉）
１００，１００Ａ，１００Ｂ，１００Ｃ  卓上メモ帳（卓上積層紙）
【図１】
2011056805.tif 000003
【図２】
2011056805.tif 000004
【図３】
2011056805.tif 000005
【図４】
2011056805.tif 000006
【図５】
2011056805.tif 000007
【図６】
2011056805.tif 000008
【図７】
2011056805.tif 000009
【図８】
2011056805.tif 000010
【図９】
2011056805.tif 000011
【図１０】
2011056805.tif 000012
【図１１】
2011056805.tif 000013
【図１２】
2011056805.tif 000014
【図１３】
2011056805.tif 000015